(57)【特許請求の範囲】
【請求項１】
平面状の基板上に、ドットを複数個配置してパターンを表示するディスプレイにおいて、
前記複数個のドットのうち少なくとも１個のドットを、あらかじめ決められた入射角度の特定波長の入射光に対してあらかじめ定義された空間的広がりを有する回折光を射出する機能を有するキノフォームから構成し、
前記キノフォームから成るドットからの回折光により、２次元画像を表現し、
白色の入射光に対し、前記キノフォームから成るドットからの回折光が同一方向に複数の周波数成分を有するようにしたことを特徴とするキノフォームから成るディスプレイ。
【請求項２】
平面状の基板上に、ドットを複数個配置してパターンを表示するディスプレイにおいて、
前記複数個のドットのうち少なくとも１個のドットを、あらかじめ決められた入射角度の特定波長の入射光に対してあらかじめ定義された空間的広がりを有する回折光を射出する機能を有するキノフォームから構成し、
前記キノフォームから成るドットからの回折光により、２次元画像を表現し、
前記キノフォームから成るドットからの回折光を、異なる複数の観察方向に対して射出させるようにしたことを特徴とするキノフォームから成るディスプレイ。
【請求項３】
前記請求項１又は請求項２に記載のキノフォームから成るディスプレイにおいて、
前記２次元画像の黒色の部分に対応する部分の位置のドットを前記キノフォームから構成し、当該キノフォームから成るドットからの回折光を前記観察方向以外の方向に射出させるようにしたことを特徴とするキノフォームから成るディスプレイ。
【発明の詳細な説明】
【０００１】
【発明の属する技術分野】
本発明は、平面状の基板上に、ドットを複数個配置してパターンを表示するディスプレイに係り、特にドットの構成要素をキノフォームとすることで、広視野角での観察、また明るく中間調表現が行なえるようにしたキノフォームから成るディスプレイに関するものである。
【０００２】
【従来の技術】
従来から、表示体の基板表面をドット単位に分割し、これらドットを複数個マトリクス状に配置することでパターン（絵柄）を表現するディスプレイとして、回折格子パターンを有するディスプレイが公知である。
【０００３】
この回折格子によって構成されるパターンは、通常の印刷技術では表現することのできない指向性のある光沢を有することから、ディスプレイとしての用途や、偽造防止を目的としたセキュリティ商品に広く用いられてきている。
【０００４】
この種のディスプレイを作製する方法としては、例えば“特開昭６０−１５６００４号公報”に例示されるような方法が公知である。
【０００５】
すなわち、この作製方法は、レーザー光の２光束干渉による微小な干渉縞（回折格子）を、そのピッチ、方向、および光強度を変化させて、感光性フィルムに次々と露光するものである。
【０００６】
一方、レーザーではなく電子ビーム露光装置を用い、かつコンピュータ制御により、平面状の基板が載置されたＸ−Ｙステージを移動させて、この基板の表面に、回折格子からなる複数の微小なドットを配置することにより、回折格子パターンが形成されたディスプレイを作製する方法も提案されてきている。
【０００７】
この種の作製方法としては、例えば“特開平２−７２３２０号公報”や“米国特許５，０５８，９９２号”に開示されている。
【０００８】
ここで、回折格子パターンのパラメータとしては、
（ａ）回折格子パターンの空間周波数（格子縞のピッチ）
（ｂ）回折格子の方向（格子縞の方向）
（ｃ）回折格子の描画領域（回折格子セルの配置）
の３つがある。
【０００９】
そして、上記（ａ）に応じて、観察領域においてその回折格子セルが光って見える色が変化し、
上記（ｂ）に応じて、その回折格子セルが光って見える方向が変化し、
上記（ｃ）に応じて、表示パターン（絵柄）が決定される。
【００１０】
なお、ディスプレイ（パターン）の構成単位である「ドット」または「セル」は、同義語として取り扱うこととする。
【００１１】
ところで、このような手法により実現されるディスプレイにおいて、回折格子パターンは、以下に述べるような光学的な特性を示す。
【００１２】
回折格子パターンを構成する回折格子セルは、光の回折現象により、特定の方向から入射した光を様々なスペクトルの光に分光して反射する。
【００１３】
すなわち、回折格子セルを観察した際には、観察する角度、方向に応じて、見える色が様々に変化する。
【００１４】
各回折格子セルの格子縞のピッチや方向等を変えることで、絵柄を表現するこの種のディスプレイは、観察領域以外の領域から観察すると、意図とは異なる全く違った色の絵柄が観察されることになる。
【００１５】
また、回折格子パターンにおいて、白色や中間色を表現しようとした場合、単一の格子縞ピッチを有する回折格子だけでは、それらの色を表現することができない。
【００１６】
例えば、白色を表現する際には、少なくともＲ，Ｇ，Ｂに対応する格子縞のピッチや方向を有する回折格子を隣接する複数のドットに配置するか、一つのドットの内部を三つに面積分割して、Ｒ，Ｇ，Ｂに対応する格子縞をそれぞれ記録する必要がある。
【００１７】
さらに、回折格子セルは、入射光に対して正反射方向（０次回折光）と高次回折方向にそれぞれ回折光を発生させるため、ディスプレイが本来観察される領域（＋１次回折光に相当）とは別の領域においても、絵柄が観察されることとなる。
【００１８】
すなわち、このようなディスプレイでは、正しい色で観察できる角度が極めて狭い範囲に限られると同時に、観察領域における回折光の利用比率も低く暗い絵柄しか観察することができない。
【００１９】
また、白色や中間色の表現を行なうには、複数の回折格子を記録する必要があり、複数のドットによって一つの色を表現すると解像度の低下を招いてしまい、一つのドットに複数の回折格子を記録する際には、特殊な工程を実施しなければならない。
【００２０】
【発明が解決しようとする課題】
以上のように、ドットマトリクス単位で回折格子を基板上に配置する回折格子パターンにおいて、回折格子の光学的機能に基づく前述のような特性を改善して、絵柄の品質を向上させることは困難である。
【００２１】
本発明の目的は、回折格子パターンでは実現が困難な、広視野角での観察を行なうことが可能であり、また明るく中間調表現を行なうことも可能なキノフォームから成るディスプレイを提供することにある。
【００２２】
【課題を解決するための手段】
上記の目的を達成するために、請求項１に対応する発明では、平面状の基板上に、ドットを複数個配置してパターンを表示するディスプレイにおいて、複数個のドットのうち少なくとも１個のドットを、あらかじめ決められた入射角度の特定波長の入射光に対してあらかじめ定義された空間的広がりを有する回折光を射出する機能を有するキノフォームから構成し、キノフォームから成るドットからの回折光により、２次元画像を表現し、白色の入射光に対し、キノフォームから成るドットからの回折光が同一方向に複数の周波数成分を有するようにしている。
【００２９】
従って、請求項１に対応する発明のキノフォームから成るディスプレイにおいては、白色の入射光に対し、キノフォームから成るドットから回折光が同一方向に複数の周波数成分を有することにより、白色光の入射に対し、一つのドットから任意の観察点に複数の周波数成分からなる回折光を射出できるため、白色や彩度の低い中間調、滑らかな階調表現を用いた２次元画像（絵柄）を表示することができる。
【００３０】
また、請求項２に対応する発明では、平面状の基板上に、ドットを複数個配置してパターンを表示するディスプレイにおいて、複数個のドットのうち少なくとも１個のドットを、あらかじめ決められた入射角度の特定波長の入射光に対してあらかじめ定義された空間的広がりを有する回折光を射出する機能を有するキノフォームから構成し、キノフォームから成るドットからの回折光により、２次元画像を表現し、キノフォームから成るドットからの回折光を、異なる複数の観察方向に対して射出させるようにしている。
【００３１】
従って、請求項２に対応する発明のキノフォームから成るディスプレイにおいては、キノフォームから成るドットからの回折光を、異なる複数の観察方向に対して射出できるため、複数の観察領域で同様の２次元画像（絵柄）、もしくは異なる２次元画像（絵柄）を観察することができる。
【００３２】
さらに、請求項３に対応する発明では、請求項１又は請求項２に対応するキノフォームから成るディスプレイにおいて、２次元画像の黒色の部分に対応する部分の位置のドットをキノフォームから構成し、当該キノフォームから成るドットからの回折光を観察方向以外の方向に射出させるようにしている。
【００３３】
従って、請求項３に対応する発明のキノフォームから成るディスプレイにおいては、２次元画像の黒色の部分に対応する部分の位置のドットをキノフォームから構成し、当該ドットからの回折光を観察方向以外の方向に射出させることにより、正反射光等の不要な光が観察されないため、観察条件の影響を受け難い高品位の２次元画像（絵柄）を表現することが可能となる。
【００３４】
以上により、回折格子パターンでは実現が困難な、広視野角での観察を行なうことができ、また明るく中間調表現を行なうこともできるキノフォームから成るディスプレイを得ることが可能となる。
【００３５】
【発明の実施の形態】
まず、本発明の考え方について述べる。
【００３６】
本発明のディスプレイは、平面状の基板上に、ドットを複数個配置してパターンを表示するディスプレイにおいて、複数個のドットのうち少なくとも１個のドットをキノフォームから構成し、当該キノフォームから成るドットからの回折光により、ドットを画素とした２次元画像を表現することにより、２次元画像データの情報を位相変調パターンとしてドットに記録することにより、回折光の射出方向や光量分布等を高精度に制御することで、回折格子パターンでは実現が困難な、広視野角での観察を行なうことが可能であり、また明るく中間調表現を行なうことができる表示装置を構成可能とすることを主旨としている。
【００３７】
ここで、キノフォームとは、物体光の波面の位相だけを記録して波面再生を行なう光学素子であり、計算により得られた位相分布を位相変調量として記録し、再生用照明光の振幅については変更を加えないため、光の吸収による損失がなく、高い回折効率を得ることができる。
【００３８】
また、理想的なキノフォームは、通常のホログラムや回折格子パターンのように、多くの回折次数を発生しないので、光の利用効率が極めて高い。
【００３９】
さらに、キノフォームを用いることにより、任意領域における回折光の強度分布をコントロールすることや、射出方向をコントロールすることを、高精度に行なうことができる。
【００４０】
なお、このキノフォームは、例えば“「ホログラフィー」：辻内順平著；株式会社裳華房発行：第４５頁〜第４７頁”により開示されている。
【００４１】
以下、上記のような考え方に基づく本発明の実施の形態について、図面を参照して詳細に説明する。
【００４２】
（第１の実施の形態）
図１は、本実施の形態によるキノフォームから成るディスプレイの構成例を示す斜視図である。
【００４３】
すなわち、図１に示すように、本実施の形態によるキノフォームから成るディスプレイ１は、平面状の基板２上に、ドット３を複数個配置し、当該複数個のドット３のうち少なくとも１個のドット３を、あらかじめ決められた入射角度の特定波長の入射光に対してあらかじめ定義された空間的広がりを有する回折光を射出する機能を有するキノフォーム４から構成し、当該キノフォーム４から成るドット３からの回折光により、ドット３を画素とした２次元画像（絵柄）５を表現するように構成している。
【００４４】
ここで、キノフォーム４としては、エンボス技術による量産に適し、安価な大量生産が可能であると共に、構成が安価であり、しかも薄型、かつ軽量にすることができることから、反射型の表面レリーフ型とすることが望ましい。
【００４５】
次に、以上のように構成した本実施の形態によるキノフォーム４から成るディスプレイ１においては、複数個のドット３のうち少なくとも１個のドット３をキノフォーム４から構成していることにより、２次元画像（絵柄）データの情報を位相変調パターンとしてドット３に記録することができる。
【００４６】
これにより、本キノフォーム４から成るディスプレイ１は、基板２面上に光が入射した際に、キノフォーム４の光学的特性により、あらかじめ設定した観察領域に各ドット３からそれぞれ任意の波長を有する回折光が到達することで、任意の視点から観察者６に２次元画像（絵柄）５を観察（知覚）させることができる。
【００４７】
以上により、回折格子パターンでは実現が困難な、広視野角での観察を行なうことが可能なキノフォーム４から成るディスプレイ１を得ることができる。
【００４８】
（第２の実施の形態）
図２は、本実施の形態によるキノフォームから成るディスプレイの構成例を示す斜視図であり、図１と同一要素には同一符号を付してその説明を省略し、ここでは異なる部分についてのみ述べる。
【００４９】
すなわち、図２に示すように、本実施の形態によるキノフォームから成るディスプレイ１は、前述した第１の実施の形態の構成を有するキノフォーム４から成るディスプレイ１において、単一の周波数成分を有する平行状の入射光に対し、キノフォーム４から成るドット３からの回折光７を広範囲の観察領域８に射出させるように構成している。
【００５０】
ここで、キノフォーム４から成るドット３からの射出光の角度範囲としては、一般的なディスプレイの観察条件において、観察者６の両眼を射出光の空間的な広がりの中に置くことができ、両眼における輝度差による違和感のない、見易い表示とすることができることから、水平方向において１２゜以上の広がりを有するようにすることが望ましい。
【００５１】
次に、以上のように構成した本実施の形態によるキノフォーム４から成るディスプレイ１においては、例えばレーザー光のような単一の周波数成分を有する平行状の光が入射した際に、キノフォーム４の光学的特性により、あらかじめ設定した空間的に広がりを有する領域８に、同じ周波数成分を有する回折光７を射出することができる。
【００５２】
すなわち、各ドット３に記録されたキノフォーム４が、特定の空間的領域に各々空間的広がりを有する回折光７を射出することで、空間的領域のいずれの場所からディスプレイ１を観察した際にも、同様の色合いで広範囲で２次元画像（絵柄）５を観察することができる。
【００５３】
通常、回折格子パターンによるディスプレイでは、回折光の周波数は回折角度に応じて連続的に変化してしまうため、設定通りの色合いで２次元画像（絵柄）が観察できる領域は非常に狭い範囲に限られる。
【００５４】
これに対して、図２に示すような本実施の形態によるキノフォーム４から成るディスプレイ１によれば、広い範囲に同じ周波数成分を有する回折光７を射出させることができるため、観察者（Ａ〜Ｃ）６のように、広範囲の観察領域８内のいかなる所からでも、同様の２次元画像（絵柄）５を広範囲で観察できるため、視認性が向上し、ディスプレイ１の高性能化を実現することができる。
【００５５】
（第３の実施の形態）
図３は、本実施の形態によるキノフォームから成るディスプレイの要部構成例を示す斜視図であり、図１と同一要素には同一符号を付してその説明を省略し、ここでは異なる部分についてのみ述べる。
【００５６】
すなわち、図３に示すように、本実施の形態によるキノフォームから成るディスプレイ１は、前述した第１の実施の形態の構成を有するキノフォーム４から成るディスプレイ１において、単一の周波数成分を有する平行状の入射光９に対し、キノフォーム４から成るドット３からの回折光７を任意の狭範囲の観察領域に集光させるように構成している。
【００５７】
次に、以上のように構成した本実施の形態によるキノフォームから成るディスプレイ１においては、図３に示すように、例えばレーザー光のような単一の周波数成分を有する平行状の入射光９が入射した際に、キノフォーム４の光学的特性により、あらかじめ設定した空間中の任意の一点のみに、回折光７を制限（集光）して射出することができる。
【００５８】
図４は、多くの回折次数を発生し、観察領域において暗い絵柄しか観察できない回折格子パターンによるディスプレイの一例を示す斜視図である。
【００５９】
すなわち、図４に示すように、通常、回折格子パターンによるディスプレイでは、入射光９に対して正反射方向（０次回折光）とその他の高次回折方向にそれぞれ回折光が発生するため、一般的に観察に利用される＋１次の回折光は、入射光と比較して輝度が低くなってしまう。
【００６０】
これに対して、図３に示すような本実施の形態によるキノフォーム４から成るディスプレイ１によれば、入射光９の大部分を同一方向に回折光７として射出させることができるため、任意の領域で極めて明るい２次元画像（絵柄）を観察することが可能なキノフォーム４から成るディスプレイ１を得ることができる。
【００６１】
（第４の実施の形態）
図５は、本実施の形態によるキノフォームから成るディスプレイの構成例を示す斜視図であり、図１と同一要素には同一符号を付してその説明を省略し、ここでは異なる部分についてのみ述べる。
【００６２】
すなわち、図５に示すように、本実施の形態によるキノフォームから成るディスプレイ１は、前述した第１の実施の形態の構成を有するキノフォーム４から成るディスプレイ１において、白色の入射光に対し、キノフォーム４から成るドット３から観察領域への回折光７が、同一方向に複数の周波数成分を有するように構成している。
【００６３】
次に、以上のように構成した本実施の形態によるキノフォームから成るディスプレイ１においては、白色光や太陽光等の、異なる周波数帯の光を併せ持つ光源からの光が入射した際に、キノフォーム４の光学的特性により、あらかじめ設定した空間中の一点に、同一方向に二種以上の周波数成分を有する回折光７を射出することができる。
【００６４】
すなわち、通常、単一の周波数成分を有する光では、彩度の高い色しか観察できないため、従来の回折格子パターンは、彩度の高い絵柄のものが多い。
【００６５】
しかし、この回折格子パターンでは、異なる空間周波数を有する回折格子セルを隣接して配置することで、彩度が低く中間調が表現された絵柄の表現を可能としているが、ドットのサイズをある程度より小さくすることが困難であり、また多数の空間周波数を併せることが極めて困難であると言える。
【００６６】
これに対して、図５に示すような本実施の形態によるキノフォーム４から成るディスプレイ１によれば、同一方向に複数の周波数成分を有する回折光７を射出させることができるため、キノフォーム４から成るドット３から観察者６への方向に、同一方向に異なる周波数成分を有する回折光（Ａ〜Ｃ）７を射出することで、単一のドット３で中間調表現を実現することが可能なキノフォーム４から成るディスプレイ１を得ることができる。
【００６７】
ここで、例えば回折光（Ａ，Ｂ，Ｃ）７が、それぞれ赤，緑，青に相当する周波数成分を有するとすると、観察者６は白色を観察（知覚）することが可能なキノフォーム４から成るディスプレイ１を得ることができる。
【００６８】
（第５の実施の形態）
図６は、本実施の形態によるキノフォームから成るディスプレイの構成例を示す斜視図であり、図１と同一要素には同一符号を付してその説明を省略し、ここでは異なる部分についてのみ述べる。
【００６９】
すなわち、図６に示すように、本実施の形態によるキノフォームから成るディスプレイ１は、前述した第１の実施の形態の構成を有するキノフォーム４から成るディスプレイ１において、キノフォーム４から成るドット３からの回折光７を、空間的に異なる複数の観察領域に対して射出させるように構成している。
【００７０】
次に、以上のように構成した本実施の形態によるキノフォームから成るディスプレイ１においては、白色光や太陽光等の、異なる周波数帯の光を併せ持つ光源からの光が入射した際に、キノフォーム４の光学的特性により、あらかじめ設定した空間中の複数の領域に、回折光７を射出することができる。
【００７１】
すなわち、図６に示すように、任意のドット３に記録されたキノフォーム４からの回折光（Ａ〜Ｃ）７が、同様の周波数成分を有する光である場合、観察方向（Ａ〜Ｃ）６において同じ色を観察（知覚）することができる。
【００７２】
また、任意のドット３に記録されたキノフォーム４からの回折光（Ａ〜Ｃ）７が、異なる周波数成分を有する光である場合、観察方向（Ａ〜Ｃ）６において異なる色を観察（知覚）することができる。
【００７３】
すなわち、図６に示すような本実施の形態によるキノフォーム４から成るディスプレイ１によれば、異なる観察領域で同様の２次元画像（絵柄）５を観察することができたり、異なる観察領域で異なる２次元画像（絵柄）５を観察することが可能なキノフォーム４から成るディスプレイ１を得ることができる。
【００７４】
（その他の実施の形態）
尚、本発明は、上記各実施の形態に限定されるものではなく、実施段階ではその要旨を逸脱しない範囲で、種々に変形して実施することが可能である。
例えば、以上のような方法により実現される前述した第１乃至第５の各実施の形態のうちのいずれか一つの実施の形態の構成を有するキノフォーム４から成るディスプレイ１において、２次元画像５の黒色の部分に対応する部分の位置のドット３をキノフォーム４から構成し、当該キノフォーム４から成るドット３からの回折光７を観察領域以外の領域に射出させるように構成してもよい。
【００７５】
以上のような構成のキノフォーム４から成るディスプレイ１においては、キノフォーム４から成るドット３からの回折光７を観察領域以外の領域に射出させることにより、正反射光等の不要な光が観察されないため、観察条件の影響を受け難い高品位の２次元画像（絵柄）５を表現することができる。
【００７６】
すなわち、通常、２次元画像（絵柄）の一部を黒色として知覚させるには、２次元画像（絵柄）の黒色に対応する基板上の部分から観察領域への射出光をなくせばよい。
【００７７】
そして、一般には、当該部分にキノフォームのドットを記録しないことで実現することが可能である。
【００７８】
しかし、このような方法では、当該部分が鏡面として作用するため、観察条件によっては観察時に正反射光が観察（知覚）される恐れがある。
【００７９】
これに対して、本キノフォーム４から成るディスプレイ１によれば、当該部分に観察領域以外の領域へ回折光を射出するようなキノフォーム４を記録することで、より観察条件の影響を受け難い２次元画像（絵柄）５を表現することができる。
【００８０】
これにより、前述した第１乃至第５の各実施の形態の構成を有するキノフォーム４から成るディスプレイ１としては、より一層高品質な２次元画像（絵柄）５を表現することが可能となる。
【００８１】
また、本発明により実現されるキノフォームから成るディスプレイに関して、前述した第１乃至第５の各実施の形態では、反射型のディスプレイを想定して説明を行なったが、これに限らず、透過型のキノフォームをドットに記録することで、前述と同様の原理により同様の機能を有する透過型のディスプレイを実現することが可能である。
【００８２】
一方、各実施の形態は可能な限り適宜組合わせて実施してもよく、その場合には組合わせた作用効果を得ることができる。
さらに、上記各実施の形態には種々の段階の発明が含まれており、開示される複数の構成要件における適宜な組合わせにより、種々の発明を抽出することができる。
例えば、実施の形態に示される全構成要件から幾つかの構成要件が削除されても、発明が解決しようとする課題の欄で述べた課題（の少なくとも一つ）が解決でき、発明の効果の欄で述べられている効果（の少なくとも一つ）が得られる場合には、この構成要件が削除された構成を発明として抽出することができる。
【００８３】
【発明の効果】
以上説明したように、本発明のキノフォームから成るディスプレイによれば、ドットに様々な光学的機能を有するキノフォームを記録するようにしているので、以下のような種々の効果を期待することが可能となる。
【００８４】
（ａ）２次元画像データの情報を位相変調パターンとしてドットに記録するようにしているので、任意の視点から２次元画像（絵柄）の観察を行なうことが可能となる。
【００８５】
（ｂ）単一の周波数成分を有する平行状の光の入射に対し、広い範囲に同じ周波数を有する回折光を射出させるようにしているので、広範囲の観察領域内で同様の２次元画像（絵柄）を表示することが可能となる。
【００８６】
（ｃ）単一の周波数成分を有する平行状の入射光に対し、キノフォームの光学的特性により回折光の射出方向を任意の領域のみに制限（集光）させるようにしているので、任意の観察点において極めて明るい２次元画像（絵柄）を観察することが可能となる。
【００８７】
（ｄ）一つのドットから任意の観察点に同一方向に複数の周波数成分を有する回折光を射出するキノフォームを記録するようにしているので、白色や彩度の低い中間調、滑らかな階調表現を用いた２次元画像（絵柄）を表示することが可能となる。
【００８８】
（ｅ）一つのドットから複数の観察領域に回折光を射出するキノフォームを記録するようにしているので、複数の観察領域で同様の２次元画像（絵柄）、もしくは異なる２次元画像（絵柄）を観察することが可能となる。
【００８９】
（ｆ）２次元画像（絵柄）の黒色の部分に対応する部分の位置のドットを、観察領域以外の領域に射出させるキノフォームから構成するようにしているので、正反射光等の不要な光が観察されない、観察条件の影響を受け難い高品位の２次元画像（絵柄）を表現することが可能となる。
【００９０】
以上により、回折格子パターンでは実現が困難な、広視野角での観察を行なうことができ、また明るく中間調表現を行なうこともできるキノフォームから成るディスプレイを得ることが可能となる。
【図面の簡単な説明】
【図１】本発明によるキノフォームから成るディスプレイの第１の実施の形態を示す斜視図。
【図２】本発明によるキノフォームから成るディスプレイの第２の実施の形態を示す斜視図。
【図３】本発明によるキノフォームから成るディスプレイの第３の実施の形態を示す斜視図。
【図４】多くの回折次数を発生し、観察領域において暗い２次元画像（絵柄）しか観察できない回折格子パターンによるディスプレイの一例を示す説明するための斜視図。
【図５】本発明によるキノフォームから成るディスプレイの第４の実施の形態を示す斜視図。
【図６】本発明によるキノフォームから成るディスプレイの第５の実施の形態を示す斜視図。
【符号の説明】
１…ディスプレイ
２…基板
３…ドット
４…キノフォーム
５…２次元画像（絵柄）
６…観察者
７…回折光
８…空間的に広がりを有する領域
９…入射光。
【図１】
0003951686.tif 000002
【図２】
0003951686.tif 000003
【図３】
0003951686.tif 000004
【図４】
0003951686.tif 000005
【図５】
0003951686.tif 000006
【図６】
0003951686.tif 000007